(57)【特許請求の範囲】
【請求項１】
物体側から像側へ順に配置された、正の屈折力の第１レンズ群、負の屈折力の第２レンズ群、正又は負の屈折力の第３レンズ群から成り、フォーカシングに際して隣り合うレンズ群の間隔が変化する光学系であって、
前記第２レンズ群はフォーカシングに際して移動し、
前記第１レンズ群は物体側から像側へ順に、正レンズＧｐ１、正レンズＧｐ２、複数のレンズを含む部分群から成り、
前記部分群は１枚以上の負レンズを有し、前記正レンズＧｐ１の材料のアッベ数をνｄＧｐ１、前記部分群に含まれる負レンズのうち最も物体側に配置されている負レンズＧｎ１の材料のアッベ数をνｄＧｎ１、前記正レンズＧｐ１の材料の部分分散性をθｇＦＧｐ１、前記正レンズＧｐ１の材料の屈折率をｎｄＧｐ１とするとき、
１８≦νｄＧｐ１≦５０．０
１８≦νｄＧｎ１≦４０．０
０．００８９≦θｇＦＧｐ１−０．６４３８＋０．００１６８２×νｄＧｐ１＜０．０２０
１．５０≦ｎｄＧｐ１≦１．７０
なる条件式を満足することを特徴とする光学系。
【請求項２】
前記負レンズＧｎ１の材料の部分分散性をθｇＦＧｎ１とするとき、
−０．００４＜θｇＦＧｎ１−０．６４３８＋０．００１６８２×νｄＧｎ１＜０．０１５
なる条件式を満足することを特徴とする請求項１に記載の光学系。
【請求項３】
前記正レンズＧｐ１の材料の比重をｄＧｐ１とし、材料の比重ｄＧｐ１は正レンズＧｐ１に使用される材料の常温（１５℃〜２５℃）での質量と、それと同体積の圧力１０１．３２５ｋＰａ（標準気圧）のもとにおける４℃の純水の質量との比とするとき、
２．００≦ｄＧｐ１≦３．００６９３３×ｎｄＧｐ１−２．０１２７８
なる条件式を満足することを特徴とする請求項１または２に記載の光学系。
【請求項４】
前記正レンズＧｐ１の焦点距離をｆＧｐ１、前記正レンズＧｐ１と前記正レンズＧｐ２の光軸上の間隔をＬ１２とするとき、
０．０８＜Ｌ１２／ｆＧｐ１＜０．２５
なる条件式を満足することを特徴とする請求項１乃至３のいずれか１項に記載の光学系。
【請求項５】
前記部分群は物体側から像側へ順に、負レンズ、正レンズ、負レンズより構成されることを特徴とする請求項１乃至４のいずれか１項に記載の光学系。
【請求項６】
前記第２レンズ群は正レンズと負レンズを接合した接合レンズより構成されることを特徴とする請求項１乃至５のいずれか１項に記載の光学系。
【請求項７】
請求項１乃至６のいずれか１項に記載の光学系と、該光学系によって形成される像を受光する撮像素子を有することを特徴とする撮像装置。
【発明の詳細な説明】
【技術分野】
【０００１】
本発明は、光学系およびそれを有する撮像装置に関し、たとえば、デジタルスチルカメラ、デジタルビデオカメラ、ＴＶカメラ、監視用カメラ等の撮像装置の撮像光学系として好適なものである。
【背景技術】
【０００２】
撮像装置に用いられる光学系には、レンズ全長が短いことや全体が軽量化であることが要望されている。ここでレンズ全長とは第１レンズ面から最終レンズ面までの距離に空気換算でのバックフォーカスの値を加えた長さである。一般に、大口径比の望遠レンズ（テレフォトタイプの光学系）はレンズ全長が長く、全体が重くなる傾向にある。このため、望遠レンズには全体の軽量化への要望が強い。ここで望遠レンズとは、例えば有効撮像範囲の寸法に比べて長い焦点距離のレンズ系をいう。
【０００３】
一般に光学系全体の小型化または軽量化を図るほど諸収差、例えば軸上色収差および倍率色収差等の色収差が大きく発生し、光学性能が低下する傾向にある。特に望遠レンズでは、焦点距離を伸ばすほど（長くするほど）色収差が多く発生してくる。従来、色収差の発生を低減するために、光学材料に異常部分分散材料を用いた光学系が知られている（特許文献１）。
【０００４】
特許文献１では蛍石等の異常部分分散を持った低分散の光学材料（アッベ数の大きな光学部材）を用いて色収差の低減を補正したテレフォトタイプの光学系が開示されている。望遠レンズでは近軸軸上光線と瞳近軸光線の光軸からの通過位置（入射位置）が比較的高くなる前方レンズ群で色収差を補正している。ここで近軸軸上光線とは、光学系全系の焦点距離を１に正規化し、光学系の光軸と平行に、光軸からの高さ１の光を入射させたときの近軸光線である。
【０００５】
また瞳近軸光線とは、光学系全系の焦点距離を１に正規化し、光軸軸に対して−４５°で入射する光線内、光学系の入射瞳と光軸との交点を通過する近軸光線である。具体的には蛍石等の異常部分分散を持った低分散の光学材料（アッベ数の大きな光学部材）で構成した正の屈折力のレンズ（正レンズ）と高分散の光学材料で構成した負の屈折力のレンズ（負レンズ）を用いて色収差を補正している。
【０００６】
従来、色収差の発生を低減する方法として、光学材料に低分散材料だけでなく高分散側の異常部分分散材料を用いて、色収差を補正しつつ、光学系全体の軽量化を図った光学系が知られている（特許文献２）。特許文献２では、高分散側の異常部分分散材料を用いて色収差の低減を補正したテレフォトタイプの光学系が開示されている。
【０００７】
また多くの望遠タイプの光学系では、フォーカシングを高速に行うために前方レンズ群以外の比較的小型でしかも軽量のレンズ群を移動させて行うインナーフォーカス式を用いた光学系が知られている（特許文献１、２）。特許文献１、２では物体側より順に、正の屈折力の第１レンズ群、負の屈折力の第２レンズ群、正の屈折力の第３レンズ群を有し、第２レンズ群を移動させてフォーカスを行っている。
【０００８】
一方、近年、光学材料の開発が進んでおり、色収差の低減に有効な材料が種々と提案されている（特許文献３）。特許文献３では高屈折率高分散材料ながら異常部分分散性が弱い光学材料が開示されている。従来、高屈折率高分散材料は異常部分分散性が強く、望遠レンズの前方レンズ群に含まれる負レンズに使用した場合は１次の色消しには有効なものの、２次の色消しが難しかった。これに対して特許文献３に開示されている材料は高屈折率高分散硝材にも関わらず異常部分分散性が弱いため、望遠レンズの色収差の補正に大変有効である。
【先行技術文献】
【特許文献】
【０００９】
【特許文献１】特開平１１−１１９０９２号公報
【特許文献２】特開２０１１−８１０６４号公報
【特許文献３】特開２０１２−１９３０６５号公報
【発明の概要】
【発明が解決しようとする課題】
【００１０】
光学材料として蛍石等を使ったテレフォトタイプの光学系では、レンズ全長を比較的長めに設定した場合、色収差の補正が容易となる。しかしながら、レンズ全長の短縮化を図ると色収差が多く発生し、これを良好に補正することが困難となる。
【００１１】
この原因は、蛍石等の材料が持つ低分散と異常部分分散を利用して前玉レンズ系で発生する色収差を単に低減するに留まるためである。レンズ全長の短縮に伴って増大した色収差を補正するには、レンズ面の屈折力を大きくする必要がある。しかし、異常分散性が強い材料は通常、低屈折率であるため、所定の屈折力を得るにはレンズ面の屈折力を強くする必要がある。そうするとレンズ面の屈折力を大きくしたことによって球面収差、コマ収差、非点収差などの諸収差が増大し、これらの諸収差を良好に補正するのが困難となる。
【００１２】
望遠タイプの光学系は一般に、焦点距離を長くするにつれてレンズ系全体が大型化及び高重量化してくる。このため望遠タイプの光学系ではレンズ系全体の小型化及び軽量化を図ることが重要になってくる。また焦点距離を長くすることによって発生する諸収差のうち、特に色収差を良好に補正することが重要になってくる。更にフォーカシングを前方レンズ群以外の小型軽量のレンズ群で迅速に、しかも駆動装置の負担を少なくして行うことが重要になってくる。
【００１３】
望遠タイプの光学系においては、焦点距離が長くなるにつれて、全系のレンズ群のうち特に正の屈折力の前方レンズ群が大型化及び高重量化してくる。更に色収差の発生が多くなってくる。このため望遠タイプの光学系においては正の屈折力の前方レンズ群のレンズ構成を適切に設定することが全系の小型化及び軽量化を図りつつ、かつ色収差を良好に補正し、高い光学性能を得るのに重要になってくる。前方レンズ群のレンズ構成が不適切であると全系が大型化及び高重量化し、諸収差が増大し高い光学性能を得るのが大変困難になる。
【００１４】
本発明は、色収差の補正が容易で、しかも全系の小型化及びレンズ重量の軽量化を図ることが容易な光学系及びそれを有する撮像装置の提供を目的とする。
【課題を解決するための手段】
【００１５】
本発明の光学系は、物体側から像側へ順に配置された、正の屈折力の第１レンズ群、負の屈折力の第２レンズ群、正又は負の屈折力の第３レンズ群から成り、フォーカシングに際して隣り合うレンズ群の間隔が変化する光学系であって、
前記第２レンズ群はフォーカシングに際して移動し、
前記第１レンズ群は物体側から像側へ順に、正レンズＧｐ１、正レンズＧｐ２、複数のレンズを含む部分群から成り、
前記部分群は１枚以上の負レンズを有し、前記正レンズＧｐ１の材料のアッベ数をνｄＧｐ１、前記部分群に含まれる負レンズのうち最も物体側に配置されている負レンズＧｎ１の材料のアッベ数をνｄＧｎ１、前記正レンズＧｐ１の材料の部分分散性をθｇＦＧｐ１、前記正レンズＧｐ１の材料の屈折率をｎｄＧｐ１とするとき、
１８≦νｄＧｐ１≦５０．０
１８≦νｄＧｎ１≦４０．０
０．００８９≦θｇＦＧｐ１−０．６４３８＋０．００１６８２×νｄＧｐ１＜０．０２０
１．５０≦ｎｄＧｐ１≦１．７０なる条件式を満足することを特徴としている。
【発明の効果】
【００１６】
本発明によれば、色収差の補正が容易で、しかも全系の小型化及びレンズ重量の軽量化を図ることが容易な光学系が得られる。
【図面の簡単な説明】
【００１７】
【図１】本発明の実施例１の光学系の物体距離無限遠時におけるレンズ断面図
【図２】本発明の実施例１の光学系の物体距離無限遠時における収差図
【図３】本発明の実施例２の光学系の物体距離無限遠時におけるレンズ断面図
【図４】本発明の実施例２の光学系の物体距離無限遠時における収差図
【図５】本発明の実施例３の光学系の物体距離無限遠時におけるレンズ断面図
【図６】本発明の実施例３の光学系の物体距離無限遠時における収差図
【図７】本発明の撮像装置の説明図
【発明を実施するための形態】
【００１８】
以下に本発明の好ましい実施の形態を、添付の図面に基づいて説明する。本発明の光学系は、物体側から像側へ順に配置された、正の屈折力の第１レンズ群、負の屈折力の第２レンズ群、正又は負の屈折力の第３レンズ群から成っている。。
【００１９】
図１は本発明の光学系の実施例１のレンズ断面図である。図２は本発明の光学系の実施例１の収差図である。実施例１はＦナンバー２．９０、撮像画角６．３度の望遠型の光学系である。図３は本発明の光学系の実施例２のレンズ断面図である。図４は本発明の光学系の実施例２の収差図である。実施例２はＦナンバー２．９０、撮像画角６．３度の望遠型の光学系である。図５は本発明の光学系の実施例３のレンズ断面図である。図６は本発明の光学系の実施例３の収差図である。実施例３はＦナンバー２．９０、撮影画角６．３度の望遠型の光学系である。
【００２０】
図７は本発明の光学系をカメラ本体に装着した一眼レフカメラシステム（撮像装置）の要部概略図である。各レンズ断面図において、Ｌ０は光学系である。ＳＰは軸上最大光束径を決定している開口絞りである。光学系Ｌ０は物体側から像側へ順に、正の屈折力の第１レンズ群Ｌ１、フォーカシングに際して移動する負の屈折力の第２レンズ群Ｌ２、正又は負の第３レンズ群Ｌ３を有している。
【００２１】
Ｇは、光学フィルター、フェースプレート、水晶ローパスフィルター、赤外カットフィルター等に相当する光学ブロックである。ＩＰは像面であり、ビデオカメラやデジタルカメラの撮影光学系として使用する際には像を受光するＣＣＤセンサやＣＭＯＳセンサ等の撮像素子（光電変換素子）の撮像面が、銀塩フィルム用カメラの撮像光学系とし使用する際にはフィルム面に相当する。
【００２２】
各収差図のうち球面収差図と倍率色収差図において、ｄはｄ線（波長５８７．６ｎｍ）、ｇはｇ線（波長４３５．８ｎｍ）、ＣはＣ線（波長６５６．３ｎｍ）、ＦはＦ線（波長４８６．１ｎｍ）である。Ｓ．Ｃは正弦条件である。非点収差図において点線のＭはｄ線のメリディオナル像面、実線のＳはｄ線のサジタル像面である。
【００２３】
ＦｎｏはＦナンバー、ωは半画角である。すべての収差図においては、後述する各数値実施例をｍｍ単位で表したとき球面収差は０．２ｍｍ、非点収差は０．０５ｍｍ、歪曲は２％、倍率色収差は０．０２５ｍｍのスケールで描かれている。各実施例の光学系Ｌ０は望遠タイプより成り、その特徴とする構成は次のとおりである。
【００２４】
第１レンズ群は物体側から像側へ順に、正レンズＧｐ１、正レンズＧｐ２、複数のレンズを含む部分群を有し、部分群は１枚以上の負レンズを有している。正レンズＧｐ１の材料のアッベ数をνｄＧｐ１、部分群に含まれる負レンズのうち最も物体側に配置されている負レンズＧｎ１の材料のアッベ数をνｄＧｎ１とする。このとき、
１８≦νｄＧｐ１≦５０．０    ・・・（１）
１８≦νｄＧｎ１≦４０．０    ・・・（２）
なる条件式を満足する。
【００２５】
一般に望遠レンズなどのテレフォトタイプの光学系（撮像光学系）では諸収差のうち色収差を主に近軸軸上光線と瞳近軸光線の光軸からの通過位置が比較的高くなる第１レンズ群（前方レンズ群）で補正している。具体的には第１レンズ群に含まれる正レンズに蛍石等の異常部分分散を持った低分散の材料（アッベ数の大きな材料）を用いている。そして第１レンズ群に含まれる負レンズに高分散で異常分散性の弱い（もしくは正レンズとはノーマルラインに対して逆に出ている）材料を用いて色収差を補正している。
【００２６】
ここで材料のアッベ数νｄと部分分散比（部分分散性）θｇＦはｇ線に対する屈折率をＮｇ、Ｆ線に対する屈折率をＮＦ、ｄ線に対する屈折率をＮｄ、Ｃ線に対する屈折率をＮＣとするとき、
νｄ＝Ｎｄ−１／ＮＦ−ＮＣ
θｇＦ＝Ｎｇ−ＮＦ／ＮＦ−ＮＣ
である。
【００２７】
一般的に多くの材料は高分散材料になるにしたがって、異常分散性が強くなる傾向にあり、色収差の補正が困難になる。特許文献３に開示されている材料（硝材）は高屈折率高分散材料にも関わらず比較的、異常部分分散性が弱いため、テレフォトタイプの光学系では色収差の補正には好適である。
【００２８】
本発明の光学系では、第１レンズ群Ｌ１に含まれる負レンズのうち最も物体側に位置する負レンズの材料に特許文献３に開示されている材料を使用している。そして一次の色消しを行うために最も物体側の正レンズＧｐ１の材料にＴｉを多く含有する高分散材料Ｔｉ系硝材）を使用している。Ｔｉ系材料は通常の低分散低屈折率材料よりも高屈折材料であり、２次の色消しに必要な異常分散性もありながら低比重であり望遠タイプの光学系の前玉レンズに使用するのに好適である。
【００２９】
本発明では第１レンズ群Ｌ１の最も物体側の正レンズＧｐ１の材料に高屈折率材料を使用できることにより、所定の屈折力を持たせることが容易になり、正レンズＧｐ１より像面側に位置するレンズの有効径を小さくしている。また、負レンズＧｎ１の材料に特許文献３で開示されている材料を使用することで色収差の補正分担が大幅に軽減され、やはり正レンズＧｐ２以降のレンズの有効径を小さくすることを容易にしている。
【００３０】
以上、正レンズＧｐ１と第１レンズ群に含まれる負レンズのうち、最も物体側に位置する負レンズＧｎ１の材料を適切に選択することにより、第１レンズ群Ｌ１の軽量化及びコンパクト化を図っている。条件式（１）は正レンズＧｐ１の材料にアッベ数の小さい高分散材料を使用することを規定している。第１レンズ群Ｌ１は正の屈折力であるので、第１レンズ群Ｌ１内の色消し条件を考えると正レンズの材料には低分散材料を使用したほうがよい。
【００３１】
条件式（１）は第１レンズ群Ｌ１に含まれる負レンズのうち、最も物体側の負レンズＧｎ１との一次の色消しをバランス良く行うためのものである。更に条件式（１）で特定する材料は部分分散性（部分分散比）θｇＦが高く、2次の色消し効果を有する。条件式（１）の上限または下限を超えると第１レンズ群Ｌ１内での色消しが難しく、フォーカシングの際に色収差の変動が大きくなってしまう。
【００３２】
更に好ましくは、条件式（１）の数値範囲を
２５．０≦νｄＧｐ１≦４５．０    ・・・（１ａ）
とするのが好ましい。
【００３３】
条件式（２）は第１レンズ群Ｌ１に含まれる負レンズのうち、最も物体側の負レンズＧｎ１の材料にアッベ数の小さい高分散材料を使用することを規定している。第１レンズ群Ｌ１は正の屈折力であるので、第１レンズ群Ｌ１内の色消し条件を考えると負レンズの材料には高分散材料を使用したほうがよい。
【００３４】
条件式（２）は正レンズＧｐ１と一次の色消しを良好に行うためのものである。条件式（２）の上限または下限を超えると第１レンズ群Ｌ１内での色消しが難しく、フォーカシングの際に色収差の変動が大きくなってしまう。更に好ましくは、
２０．０≦νｄＧｎ１≦３５．０    ・・・（２ａ）
とするのが好ましい。
【００３５】
以上のように本発明によれば、全系が小型でまたは軽量化され、色収差を始めとする諸収差を良好に補正した高い光学性能を有した光学系を得ることができる。
【００３６】
本発明において更に好ましくは次の条件式のうち１つ以上を満足するのが良い。正レンズＧｐ１の材料の部分分散をθｇＦＧｐ１とする。負レンズＧｎ１の材料の部分分散をθｇＦＧｎ１とする。正レンズＧｐ１の材料の屈折率をｎｄＧｐ１、材料の比重をｄＧｐ１とする。ここで材料の比重ｄＧｐ１は正レンズＧｐ１に使用される材料の常温（１５℃〜２５℃）での質量と、それと同体積の圧力１０１．３２５ｋＰａ（標準気圧）のもとにおける４℃の純水の質量との比をいう。
【００３７】
正レンズＧｐ１の焦点距離をｆＧｐ１、正レンズＧｐ１と正レンズＧｐ２の光軸上の間隔をＬ１２とする。このとき次の条件式のうち１つ以上を満足するのが良い。
【００３８】
０．０８９≦θｇＦＧｐ１−０．６４３８＋０．００１６８２×νｄＧｐ１＜０．０２０                                                                  ・・・（３）
−０．００４＜θｇＦＧｎ１−０．６４３８＋０．００１６８２×νｄＧｎ１＜０．０１５                                                        ・・・（４）
２．００≦ｄＧｐ１≦３．００６９３３×ｎｄＧｐ１−２．０１２７８  ・・・（５）
１．５０≦ｎｄＧｐ１≦１．７０                                    ・・・（６）
０．０８＜Ｌ１２／ｆＧｐ１＜０．２５                              ・・・（７）
【００３９】
次に前述の各条件式の技術的意味について説明する。条件式（３）は正レンズＧｐ１の材料にｇ線（４３５．８ｎｍ）の異常分散性が正の方向に高い硝材を使用するためのものである。望遠系の光学系では開口絞りＳＰより物体側の正レンズの材料に異常分散性が正の方向に高い材料を用い、負レンズの材料に異常分散性が正の方向に低い材料を用いると、軸上色収差と倍率色収差の補正が容易になる。また、近軸軸上光線の入射高が最も高くなるレンズを正レンズＧｐ１とし、正レンズＧｐ２以降での色収差の分担を軽減して、第１レンズ群Ｌ１の小径化及び軽量化を図りつつ、全系のコンパクト化を図っている。
【００４０】
条件式（３）の上限を超えると色収差が補正過剰になってしまう。また、下限を超えると色収差が補正不足になってくる。更に好ましくは、条件式（３）の数値範囲を
０．０８９≦θｇＦＧｐ１−０．６４３８＋０．００１６８２×νｄＧｐ１＜０．０１５                                                                  ・・・（３ａ）
とするのが好ましい。
【００４１】
条件式（４）は第１レンズ群Ｌ１に含まれる負レンズのうち、最も物体側の負レンズＧｎ１の材料にｇ線（４３５．８ｎｍ）の異常分散性が弱い硝材を使用することを規定している。望遠系の光学系では開口絞りＳＰより物体側の正レンズの材料に異常分散性が正の方向に高い材料を用い、負レンズの材料に異常分散性が正の方向に低い材料を用いると、軸上色収差・倍率色収差の補正が容易になる。また、近軸軸上光線の入射高が高くなるレンズに該負レンズＧｎ１を使用することで色収差の分担を軽減して、全系の小径化及び軽量化を図りつつ全系のコンパクト化を図っている。
【００４２】
条件式（４）の上限を超えると色収差が補正不足となる。また、下限を超えると色収差が補正過剰になってくる。更に好ましくは、条件式（４）の数値範囲を
０．００２＜θｇＦＧｎ１−０．６４３８＋０．００１６８２×νｄＧｎ１＜０．０１２
・・・（４ａ）
とするのが好ましい。
【００４３】
条件式（５）は第１レンズ群Ｌ１内の正レンズＧｐ１の材料の比重に関する。焦点距離が長くなるのにつれて、光学系の重量に対して第１レンズ群Ｌ１の最も物体側の正レンズＧｐ１の重量の割合が増えてくる傾向となる。条件式（５）の上限を超えると比重が重く全系の軽量化が困難になる。
【００４４】
更に好ましくは、条件式（５）の数値範囲を、
２．００≦ｄＧｐ１≦２．４０９４×ｎｄＧｐ１−１．１３３４      ・・・（５ａ）
とするのが好ましい。ただし、ここで比重とは正レンズＧｐ１に使用される材料の常温（２０℃±５℃）での質量と、それと同体積の圧力１０１．３２５ｋＰａ（標準気圧）のもとにおける４℃の純水の質量との比をいう。
【００４５】
条件式（６）は第１レンズ群Ｌ１内の正レンズＧｐ１の材料の屈折率に関する。レンズの屈折力が同じ場合、材料の屈折率が高くなるほどのレンズ体積は小さく出来る。しかし、屈折率が高くなるほど現状の材料では比重が重くなる。よって、条件式（６）の上限を超えると比重が重く正レンズＧｐ１の軽量化が困難になる。また、条件式（６）の下限を超えるとレンズの体積が増えてしまい正レンズＧｐ１の軽量化が困難になる。
【００４６】
更に好ましくは、条件式（６）の数値範囲を
１．５５≦ｎｄＧｐ１≦１．７０        ・・・（６ａ）
とするのが好ましい。
【００４７】
条件式（７）は正レンズＧｐ１と正レンズＧｐ２との光軸上の間隔Ｌ１２と正レンズＧｐ１の焦点距離ｆＧｐ１の比に関する条件式である。正レンズＧｐ１の屈折力を保ったまま間隔Ｌ１２を大きくすると、正レンズＧｐ２以降のレンズの有効径の小径化を図ることが容易になり第１レンズ群Ｌ１の軽量化が図れる。条件式（７）の上限を超えると、正レンズＧｐ２の諸収差（特に軸上色収差・球面収差）の補正能力が弱くなり高い光学性能を得るのが困難になる。条件式（７）の下限を超えると正レンズＧｐ２の有効径が大きくなり第１レンズ群Ｌ１の軽量化が困難になる。
【００４８】
更に好ましくは、条件式（７）の数値範囲を
０．０９＜Ｌ１２／ｆＧｐ１＜０．２３    ・・・（７ａ）
とするのが好ましい。
【００４９】
実施例１、２、３の光学系Ｌ０は物体側から像側へ順に、正の屈折力の第１レンズ群Ｌ１、負の屈折力の第２レンズ群Ｌ２、開口絞りＳＰ、正の屈折力の第３レンズ群Ｌ３から構成される。実施例１、２において第１レンズ群Ｌ１は物体側から像側へ順に、正レンズＧｐ１Ｇ１１、正レンズＧｐ２Ｇ１２、複数のレンズを含む部分群Ｌ１Ｒより構成される。部分群Ｌ１Ｒは物体側から像側へ順に負レンズＧ１３（負レンズＧｎ１に相当）、正レンズＧ１４、物体側の面が凸形状の正レンズＧ１５より構成される。
【００５０】
第２レンズ群Ｌ２は物体側から像側へ順に、正レンズＧ２１と負レンズＧ２２を接合した接合レンズＧ２ａから構成される。第３レンズ群Ｌ３は物体側から像側へ順に正レンズＧ３１と負レンズＧ３２を接合した接合レンズＧ３ａ、正レンズＧ３３と負レンズＧ３４を接合した接合レンズＧ３ｂより構成される。更に負レンズＧ３５、正レンズＧ３６、正レンズＧ３７と負レンズＧ３８を接合した接合レンズＧ３ｃから構成される。
【００５１】
実施例３において第１レンズ群Ｌ１と第２レンズ群Ｌ２のレンズ構成は実施例１と同じである。第３レンズ群Ｌ３は物体側から像側へ順に、次のとおりである。正レンズＧ３１、負レンズＧ３２と正レンズＧ３３を接合した接合レンズＧ３ａ、正レンズＧ３４と負レンズＧ３５を接合した接合レンズＧ３ｂ、負レンズＧ３６、正レンズＧ３７と負レンズＧ３８を接合した接合レンズＧ３ｃ、正レンズＧ３９より構成される。各レンズ面は球面からなり、各実施例では非球面を用いていない。
【００５２】
本実施例においてフォーカシングは、第２レンズ群Ｌ２を光軸方向に移動することで行っている。また、像ぶれ補正に際して第３レンズ群Ｌ３内の一部の部分群を光軸に対して垂直方向の成分を持つ方向に移動することで、結像位置を光軸に対して垂直方向に移動している。即ち防振を行っている。
【００５３】
次に本発明の光学系を撮像装置（カメラシステム）に適用した実施例を図７を用いて説明する。図７は一眼レフカメラの要部概略図である。図７において、１０は実施例１、２、３のいずれか１つの光学系１を有する撮像レンズである。光学系１は保持部材である鏡筒２に保持されている。２０はカメラ本体である。カメラ本体は撮像レンズ１０からの光束を上方に反射するクイックリターンミラー３、撮像レンズ１０の像形成位置に配置された焦点板４、焦点板４に形成された逆像を正立像に変換するペンタダハプリズム５を有している。更に、その正立像を観察するための接眼レンズ６等によって構成されている。
【００５４】
７は感光面であり、ＣＣＤセンサやＣＭＯＳセンサ等の撮像素子（光電変換素子）や銀塩フィルムが配置される。撮影時にはクイックリターンミラー３が光路から退避して、感光面７上に撮影レンズ１０によって像が形成される。このように実施例１、２、３の光学系を写真用カメラや、ビデオカメラ、デジタルスチルカメラ等の撮像装置に適用することにより、軽量で高い光学性能を有する撮像装置を実現している。尚、本発明の光学系はクイックリターンミラーのない撮像装置にも適用することができる。
【００５５】
以上、本発明の好ましい実施形態について説明したが、本発明はこれらの実施形態に限定されず、その要旨の範囲内で種々の変形及び変更が可能である。
【００５６】
以下に本発明の実施例１、２、３に対応する数値データ１、２、３を示す。各数値データにおいて、ｉは物体側からの面の順序を示し、ｒｉは物体側より第ｉ番目の面の曲率半径、ｄｉは物体側より第ｉ番目と第ｉ＋１番目の間隔、ｎｄｉとνｄｉは第ｉ番目の光学部材の屈折率とアッベ数である。焦点距離、Ｆナンバー、半画角はそれぞれ無限遠物体に焦点を合わせたときの値を示している。バックフォーカスＢＦは最終レンズ面から像面までの空気換算での距離で表している。前述の各条件式と数値実施例における諸数値との関係を表１に示す。
【００５７】
＜数値データ１＞
単位 mm 
面データ
面番号       r        d      nd         νd       有効径
1        213.406   17.49   1.59270    35.3      135.39 
2       -744.182   32.02                        134.55 
3        115.001   23.00   1.43387    95.1      109.32 
4       -356.270    0.31                        105.77 
5       -347.207    3.80   1.78760    23.4      105.48 
6        211.329   10.00                         99.18 
7         91.746   13.57   1.43387    95.1       91.95 
8        899.717    1.00                         90.44 
9         69.524    6.00   1.48749    70.2       79.22 
10         50.681   25.39                         70.73 
11       -617.793    6.74   1.92286    20.9       63.48 
12       -110.542    2.60   1.82170    35.9       62.57 
13        111.977   67.17                         58.67 
14(絞り)    ∞      10.00                         45.89 
15         85.641    5.67   1.74430    30.2       43.31 
16       1871.710    2.05   1.82693    28.7       42.30 
17      -2324.897   10.16                         41.70 
18         87.907    2.92   1.90335    32.9       34.24 
19       1264.786    1.71   1.66155    56.7       33.54 
20         44.216    3.73                         30.94 
21       -195.875    1.63   1.90207    36.3       30.78 
22         73.612   10.63                         30.25 
23        100.684    5.04   1.56472    44.2       36.46 
24      11254.788   19.98                         37.19 
25        114.866    9.34   1.73500    43.3       44.82 
26        -71.428    1.91   1.87317    21.8       44.90 
27       -251.303    8.98                         45.22 
28          ∞       2.20   1.51633    64.1       44.96 
29          ∞      63.03                         44.92 
像面        ∞   
【００５８】
各種データ
焦点距離     392.65  
Fナンバー      2.90  
半画角（度）   3.15  
像高          21.64  
レンズ全長   367.31  
BF            73.46  
入射瞳位置   712.58  
射出瞳位置  -131.31  
前側主点位置 311.91  
後側主点位置-329.61  
単レンズデータ
レンズ  始面  焦点距離
1       1    281.73 
2       3    203.38 
3       5   -166.30 
4       7    234.28 
5       9   -428.29 
6      11    144.96 
7      12    -67.34 
8      15    120.42 
9      16    1254.21 
10      18    104.46 
11      19    -69.30 
12      21    -59.14 
13      23    179.87 
14      25     61.22 
15      26   -114.85 
16      28      0.00 
【００５９】
＜数値データ２＞
単位 mm 
面データ
面番号       r        d      nd         νd       有効径
1        190.960   17.38   1.69895    30.1      135.37 
2      -1492.233   31.98                        134.30 
3        105.767   23.00   1.43387    95.1      105.47 
4       -356.270    0.56                        101.44 
5       -347.207    3.80   1.84663    20.6      100.68 
6        171.051   10.00                         93.76 
7         84.012   13.51   1.43387    95.1       87.05 
8        851.312    1.00                         85.47 
9         80.569    6.00   1.48749    70.2       76.56 
10         50.449   25.36                         67.50 
11       -665.467    6.73   1.92286    20.9       59.94 
12        -79.718    2.60   1.86162    29.5       59.48 
13        111.114   67.19                         55.72 
14(絞り)    ∞       9.99                         46.52 
15         62.348    5.70   1.74907    28.0       44.48 
16      -1399.449    2.05   1.82713    43.6       43.90 
17        622.463   10.18                         42.91 
18         89.922    2.95   1.89579    34.4       35.23 
19      -2748.718    1.71   1.66950    57.5       34.61 
20         44.216    3.84                         31.70 
21       -195.875    1.63   1.90143    37.3       31.56 
22         61.833   10.63                         30.77 
23         80.848    5.06   1.56201    44.4       37.71 
24       -383.086   20.00                         38.21 
25        109.336    9.34   1.74606    37.8       44.39 
26        -55.686    1.91   1.90273    21.2       44.33 
27       -368.285    8.97                         44.61 
28          ∞       2.20   1.51633    64.1       44.44 
29          ∞      64.00                         44.41 
像面        ∞   
【００６０】
各種データ
焦点距離     392.56  
Fナンバー      2.90  
半画角（度）   3.15  
像高          21.64  
レンズ全長   368.52  
BF            74.42  
入射瞳位置   754.66  
射出瞳位置  -121.03  
前側主点位置 314.34  
後側主点位置-328.56  
単レンズデータ
レンズ  始面  焦点距離
1       1    243.25 
2       3    190.85 
3       5   -134.90 
4       7    213.70 
5       9   -296.16 
6      11     97.60 
7      12    -53.53 
8      15     79.82 
9      16   -520.63 
10      18     97.25 
11      19    -64.98 
12      21    -51.98 
13      23    119.25 
14      25     50.68 
15      26    -72.89 
16      28      0.00 
【００６１】
＜数値データ３＞
単位 mm 
面データ
面番号       r        d      nd         νd       有効径
1        275.455   12.15   1.59270    35.3      135.37 
2      -2990.760   94.23                        134.82 
3        118.629   18.03   1.43387    95.1      100.00 
4       -331.589    0.30                         98.33 
5       -329.717    3.00   1.73800    32.3       98.05 
6      -2359.332   24.17                         95.88 
7         81.386    2.50   1.67300    38.1       73.55 
8         52.525    0.30                         68.43 
9         52.766   13.22   1.43387    95.1       68.37 
10        244.780    5.00                         66.42 
11      -1220.778    2.00   1.95375    32.3       64.44 
12         70.704    6.83   1.92286    20.9       60.88 
13        106.492   32.06                         59.32 
14(絞り)    ∞      30.00                         54.04 
15        149.955    5.50   1.43387    95.1       47.98 
16       -147.253    7.98                         47.61 
17         97.022    2.05   1.92286    20.9       41.64 
18         40.200    9.95   1.51742    52.4       39.34 
19       -257.701   15.00                         38.90 
20        105.504    8.13   1.72047    34.7       36.29 
21        -39.675    2.00   1.67790    55.3       35.75 
22         36.265    7.47                         33.01 
23        -56.533    1.63   1.76385    48.5       33.25 
24        180.389    3.20                         35.26 
25        257.484    6.09   1.85478    24.8       38.14 
26        -54.211    1.91   1.43875    94.9       38.85 
27        175.219    0.15                         40.80 
28         58.785    5.74   1.60342    38.0       42.38 
29      -1596.947    2.00                         42.41 
30          ∞       2.20   1.51633    64.1       42.44 
31          ∞      57.20                         42.46 
像面        ∞   
【００６２】
各種データ
焦点距離     392.57  
Fナンバー      2.90  
半画角（度）   3.15  
像高          21.64  
レンズ全長   382.00  
BF            60.65  
入射瞳位置   491.47  
射出瞳位置  -101.19  
前側主点位置 -88.91  
後側主点位置-335.37  
単レンズデータ
レンズ  始面  焦点距離
1       1    426.14 
2       3    203.85 
3       5   -519.68 
4       7   -228.03 
5       9    151.87 
6      11    -70.02 
7      12    208.84 
8      15    172.20 
9      17    -75.69 
10      18     67.98 
11      20     40.98 
12      21    -27.65 
13      23    -56.18 
14      25     52.87 
15      26    -94.12 
16      28     94.08 
17      30      0.00 
【００６３】
【表１】
0006628242.tif 000002
【符号の説明】
【００６４】
Ｌ０  光学系    Ｌ１  第１レンズ群    Ｌ２  第２レンズ群    Ｌ３  第３レンズ群
Ｇ１１  第１１レンズ    Ｇ１２  第１２レンズ    Ｌ１Ｒ  部分群
【図１】
0006628242.tif 000003
【図２】
0006628242.tif 000004
【図３】
0006628242.tif 000005
【図４】
0006628242.tif 000006
【図５】
0006628242.tif 000007
【図６】
0006628242.tif 000008
【図７】
0006628242.tif 000009